(57)【要約】【課題】  改質器の起動時又は停止時の触媒劣化を防止できる水素製造装置及び燃料電池システムを提供する。【解決手段】  炭化水素原料から水素を製造する改質器１８と、水を貯蔵するタンク２４と、前記タンク２４から供給される水から水素を生成する水電気分解槽３０と、前記水電気分解槽３０が生成した水素を、前記改質器１８に供給する水素供給ラインと、を具備することを特徴とする水素製造装置１０、及びこの水素製造装置１０を有する燃料電池システム４０。改質器１８の起動時又は停止時に、水電気分解槽３０で生成した水素を供給するので、触媒の劣化を防ぐことができる。【選択図】      図１
2006008418.tif 000002
【特許請求の範囲】
【請求項１】
炭化水素原料から水素を製造する改質器と、
水を貯蔵するタンクと、
前記タンクから供給される水から水素を生成する水電気分解槽と、
前記水電気分解槽が生成した水素を、前記改質器に供給する水素供給ラインと、を具備することを特徴とする水素製造装置。
【請求項２】
前記タンクから供給される水を水蒸気にするボイラーと、
前記ボイラーにより生成された水蒸気を、炭化水素原料と共に前記改質器に供給する供給ラインと、をさらに具備することを特徴とする請求項１記載の水素製造装置。
【請求項３】
請求項１又は請求項２記載の水素製造装置を有することを特徴とする燃料電池システム。
【請求項４】
炭化水素原料から水素を製造する改質器を有する水素製造装置において、
前記改質器の起動時に、水電気分解槽が生成した水素を前記改質器に供給することを特徴とする水素製造装置の起動方法。
【請求項５】
炭化水素原料から水素を製造する改質器を有する水素製造装置において、
前記改質器の停止時に、水電気分解槽が生成した水素を前記改質器に供給することを特徴とする水素製造装置の停止方法。
【発明の詳細な説明】
【技術分野】
【０００１】
本発明は、水素製造装置、燃料電池システム及び水素製造装置の起動及び停止方法に関する。
【背景技術】
【０００２】
燃料電池の代表的なものとして、水素と酸素の化学反応により発電を行うものがある。この化学反応による燃料電池は、空気汚染物質を排出しないクリーンな発電システムであり、また、化学エネルギーを直接電気エネルギーに変換する高効率な発電システムであることから、次世代の発電システムとして積極的な開発が行われている。
【０００３】
燃料電池システムの活用の一態様として、燃料電池システムを病院、ホテル等の各施設、工場、家庭等に分散して設置することが検討されている。この活用態様では、現在のように電線による送電が不要となるため送電ロスがなく、また、発電によって発生する排熱も熱源として有効利用できるため、高効率なエネルギーシステムとなる。
【０００４】
燃料電池システムでは、天然ガス、アルコール類、灯油等の炭化水素系燃料等から水素を発生させ、燃料電池本体の燃料極に供給して発電する方法が一般的である。
炭化水素系燃料から水素を製造する方法には、水蒸気改質法、オートサーマル改質法等の方法がある。これらの方法では、燃料を改質触媒の充填されている改質器に通すことで水素を発生させる。
【０００５】
燃料電池システムは、電力の重要に応じて、システムを起動及び停止させることが必要である。これに対応して、改質器の起動及び停止が行われる。
しかし、改質器の起動時に改質触媒の酸化劣化が生じる問題があった。これに対し、シリンダーに貯蔵した水素を用いる方法が提案されている（例えば、特許文献１）。しかし、シリンダーを用いるとシステムが大型化し、また、常時水素を貯蔵するのは危険である。改質器の水素を使用する方法は、ＣＯガスが混入しているため好ましくない。
【０００６】
さらに、改質器の停止時に温度が低下し負圧によって空気が流入すると、改質触媒及びＣＯ変性触媒の劣化を引き起こす問題があった。これに対して、停止時に窒素を封入する方法が用いられるが、ボンベを設置する必要が有り、システムが大きくなる。また、停止時に、改質された酸素濃度の少ない部分燃焼ガスを用いる方法も提案されているが（例えば、特許文献２）、貯蔵用のタンクを必要としシステムが複雑になる。原料のガスを封入する方法もあるが、原料が灯油のような液体燃料の場合は使用できない。また、水蒸気で可燃ガスをパージした後、空気を導入する方法も提案されている（例えば、特許文献３）。
さらに、改質器の停止時には内部の水分が露結して触媒が濡れ、劣化する問題もあった。
【０００７】
【特許文献１】特開２００２−１１７８８６号公報
【特許文献２】特開２００３−２６０５号公報
【特許文献３】特開２００２−８７０１号公報
【発明の開示】
【発明が解決しようとする課題】
【０００８】
本発明の目的は、改質器の起動時又は停止時の触媒劣化を防止できる水素製造装置及び燃料電池システムを提供することである。
【課題を解決するための手段】
【０００９】
本発明によれば、炭化水素原料から水素を製造する改質器と、水を貯蔵するタンクと、前記タンクから供給される水から水素を生成する水電気分解槽と、前記水電気分解槽が生成した水素を、前記改質器に供給する水素供給ラインと、を具備することを特徴とする水素製造装置が提供される。
この水素製造装置では、改質器の起動時に、水電気分解槽で生成した水素を供給できるので、触媒を還元雰囲気で保っていることにより、触媒の劣化を防ぐことができる。改質器の停止時にも、水電気分解槽で生成した水素を供給できるので、空気の流入を防ぐことができ、その結果、触媒の劣化を防ぐことができる。また、水素による換気で、内部雰囲気が露点以上に湿度が上がり、触媒が濡れることも防止できる。
さらに、ボンベ等を必要としないので、コンパクト化が可能である。水素を必要時のみ製造することにより、常時水素を貯蔵する場合と比べ安全性を高くできる。
【００１０】
好ましくは、本発明の水素製造装置は、前記タンクから供給される水を水蒸気にするボイラーと、前記ボイラーにより生成された水蒸気を、炭化水素原料と共に前記改質器に供給する供給ラインと、をさらに具備する。即ち、改質器に炭化水素原料と共に水蒸気を供給し、その水蒸気の原料となる水を蓄えるタンクから、一部の水を水電気分解槽に供給して、水素を生成する。
このように、改質器に供給する水蒸気源の水と、水電気分解槽に供給する水を、１つのタンクが貯蔵することにより、装置をコンパクトにできる。
【００１１】
さらに、本発明によれは、上記の水素製造装置を有することを特徴とする燃料電池システムを提供できる。
本発明の水素製造装置を用いることにより、燃料電池システムの起動時及び／又は停止時に伴う、改質器の起動時及び／又は停止時の触媒劣化を防ぐことができる。
【００１２】
本発明によれば、炭化水素原料から水素を製造する改質器を有する水素製造装置において、前記改質器の起動時に、水電気分解槽が生成した水素を前記改質器に供給することを特徴とする水素製造装置の起動方法を提供できる。
この起動方法では、改質器の起動時に、水電気分解槽で生成した水素を供給できるので、触媒の劣化を防ぐことができる。
【００１３】
本発明によれば、炭化水素原料から水素を製造する改質器を有する水素製造装置において、前記改質器の停止時に、水電気分解槽が生成した水素を前記改質器に供給することを特徴とする水素製造装置の停止方法を提供できる。
この停止方法では、改質器の停止時に、水電気分解槽で生成した水素を供給できるので、空気の流入を防ぐことができ、その結果、触媒の劣化を防ぐことができる。また、水素による換気で、内部雰囲気が露点以上に湿度が上がり、触媒が濡れることも防止できる。
【発明の効果】
【００１４】
本発明によれば、改質器の起動時又は停止時の触媒劣化を防止できる水素製造装置及び燃料電池システムが提供できる。
【発明を実施するための最良の形態】
【００１５】
図１は、本発明の一実施形態にかかる水素製造装置及び燃料電池システムの構成を示す図である。
この図に示すように、燃料電池システム４０は、水素製造装置１０、燃料電池スタック５０、気水分離器５６から主に構成されている。
まず、水素製造装置１０について説明する。
水素製造装置１０は、原料タンク１２、脱硫器１４、脱硫原料タンク１５、気化器１６、ボイラー１７、改質器１８、改質器バーナー１９、ＣＯ変成器２０、ＣＯ除去器２２、循環水タンク２４、エア供給源２６、ブロワー２７、水電気分解層３０から主に構成されている。
【００１６】
原料タンク１２には、水素の原料、及び、改質器１８を加熱する改質器バーナー１９の燃料、となる炭化水素原料が貯えられている。この炭化水素原料は、ポンプＰ１及びＰ２により汲み上げられ、脱硫器１４及び改質器バーナー１９にそれぞれ供給される。このように原料タンクを共通にすることにより、システム全体を小型化することができる。
炭化水素原料としては、例えば、メタン、ＬＰＧ（液化天然ガス）、ナフサ、ガソリン、灯油、軽油等が挙げられる。これらのうち、輸送が容易な液体燃料の中では供給網が発達し、全国各地で入手が容易であること、また、ガソリン等と比較して取り扱い易いことから、灯油が好ましい。
【００１７】
脱硫器１４は、改質器１８内の改質触媒の硫黄被毒を防止するため、炭化水素原料中の硫黄成分を除去するものである。脱硫器１４の内部には、脱硫剤が充填されている。
脱硫剤としては、例えば、活性炭、ゼオライト又は金属系の吸着剤等が好ましい。原料が灯油等の重質の炭化水素である場合は、特開２００１−２７９２５５号公報に示すように、Ｎｉ系あるいはＮｉ−Ｃｕ系脱硫剤が好ましい。
脱硫された炭化水素原料（脱硫原料）は、脱硫原料タンク１５に貯えられた後、ポンプＰ３により汲み上げられ、気化器１６に供給される。
【００１８】
気化器１６は、脱硫原料を気化させるものである。脱硫原料は、ボイラー１７から供給されたスチームと混合され、改質器１８に供給される。
スチーム源の水は、循環水タンク２４からポンプＰ４により汲み上げられ、ボイラー１７に供給される。
【００１９】
改質器１８は、脱硫原料から水素を発生させる装置であり、その内部には改質器バーナー１９と、改質触媒（図示せず）が設けられている。改質器バーナー１９には、上述のように原料タンク１２から燃料用の炭化水素原料が供給されると共に、エア供給源２６から供給された燃料燃焼用のエアがブロワー２７によって供給される。
改質触媒は、例えば、Ｒｕ，Ｒｈ，Ｐｔ，Ｐｄ等の貴金属や、Ｎｉ，Ｃｏ等の金属を、活性金属成分として用いている。この中で、特にＲｕを活性金属成分とした触媒が好ましく用いられる。
水素と共に改質器１８から発生する高温の排気ガスは、スチームを発生させるボイラー１７の熱源として利用される。これにより、システム全体のエネルギー効率を高めることができる。
【００２０】
ＣＯ変成器２０は、改質器１８において水素と共に発生した一酸化炭素を、二酸化炭素に変成させる装置であり、その内部にはシフト触媒（ＣＯ変成触媒）が設けられている。
シフト触媒としては、特に限定されないが、Ｐｔ等の貴金属や、Ｃｕ、Ｚｎ、Ｆｅ等の金属を活性金属としたもの等を好適に用いることができる。
【００２１】
ＣＯ除去器２２は、ＣＯ変成器２０によって変成されなかった一酸化炭素を除去する装置であり、その内部にはプロックス触媒（ＣＯ除去触媒）が設けられている。ＣＯ除去器２２の手前では、エア供給源２６から供給された、一酸化炭素を酸化除去するためのエアがブロワー２７によって供給される。
プロックス触媒としては、特に限定されないが、Ｒｕ、Ｐｔ、Ａｕ等の貴金属を活性金属としたもの等を好適に用いることができる。
【００２２】
シフト触媒及びプロックス触媒の触媒反応は発熱反応であるため、ＣＯ変成器２０及びＣＯ除去器２２の内部には、除熱のため、冷却水を流す流路（冷却水流路）が設けられている。冷却用の水は、循環水タンク２４からポンプＰ５により汲み上げられ、ＣＯ変成器２０及びＣＯ除去器２２の内部の冷却水流路を通過した後、気化器１６へと繋がる流路を通り、改質器１８に供給される。本実施形態では、このように、反応器の冷却水として利用した水を、反応器の反応原料としても利用することができる。
【００２３】
水電気分解槽３０は、水を電気分解して水素を発生させる。原料となる水は、必要時に、切替弁Ｖ１を開いて、循環水タンク２４からポンプＰ６により汲み上げられて水電気分解槽３０に供給される。生成した水素は、必要時に、改質器１８に供給される。
【００２４】
即ち、改質器１８を起動させるときに、切替弁Ｖ１を開いて、水電気分解槽３０で水素を生成させ、この水素を供給する。改質器１８に水素を供給しながら起動することにより、改質触媒の起動時の酸化劣化を防止できる。
【００２５】
具体的な起動（スタートアップ）手順例について説明する。
まず、改質器バーナー１９を着火する。各触媒温度（改質、シフト、プロックス）が１００℃以上であることを確認する。次に、水電気分解槽３０を始動し、改質器１８の内部に水素を導入する。循環水タンク２４からボイラー１７へ、水の供給を開始する。この段階で、改質触媒温度が６５０℃以上であることを確認する。確認されたら、原料タンク１２から、炭化水素原料（灯油）の供給を開始する。そして、水電気分解槽３０からの水素の供給を停止する。次に、エア供給源２６から、ＣＯ除去器２２へエアの供給を開始する。このようにして、改質ガスの生成が始まる。改質ガスを燃料電池スタック５０に供給し、スタックの発電が開始する。
【００２６】
さらに、改質器１８を停止させるときに、切替弁Ｖ１を開いて、水電気分解槽３０で水素を生成させ、この水素を供給する。水素を供給することにより、改質器１８の内部の温度が低下し、内部に触媒にとって有害な空気の流入を防止することができる。また、水素による換気により内部雰囲気が露点以上に温度が上がらないように調整でき、触媒がぬれることによる性能低下を防止できる。特に、停止時に内部を水素で封入しておけば、空気の流入をより完全に防ぐことができる。
【００２７】
具体的な停止（シャットダウン）手順例について説明する。
まず、原料タンク１２から、炭化水素原料（灯油）の供給を停止する。次に、エア供給源２６から、ＣＯ除去器２２へエアの供給を停止する。水電気分解槽３０を始動し、改質器１８の内部に水素を導入する。水素導入によるスチームパージを約５分続ける。循環水タンク２４からボイラー１７への水の供給を停止する。さらに、水電気分解槽３０から水素を供給してスチームを追い出す。尚、改質器１８の内部が負圧にならないように、圧力に応じて水電気分解槽３０からの水素の供給を制御する。このようにして、シャットダウンが完了する。
【００２８】
本実施形態の燃料電池システム４０では、水素製造装置１０で製造された水素が、燃料電池スタック５０のアノード５２に供給される。また、燃料電池冷却用の水が、循環水タンク２４から、ポンプＰ６により汲み上げられ、燃料電池スタック５０に供給される。この水は、循環水タンク２４に回収され、再利用される。
【００２９】
一方、燃料電池スタック５０のカソード５４には、エア供給源２６から供給されたエアがブロワー２７によって供給される。これにより、燃料電池スタック５０において、水素とエア（酸素）が反応し、直流電力が発生する。このとき、アノード５２で余った水素は、改質器バーナー１９の原料として再利用される。また、燃料電池スタック５０における反応で発生した水と排気ガスは、気水分離器５６で分離され、排気ガスについては系外に排気され、水については、循環水タンク２４に供給され、再利用される（図示せず）。
【００３０】
上述したように、本実施形態の水素製造装置又は燃料電池システムでは、改質器１８の起動時又は停止時に、水電気分解槽３０で生成した水素を供給するので、触媒の劣化を防ぐことができる。また、ボンベ等を必要としないので、コンパクト化が可能である。さらに、水素を必要時のみ製造すれば、常時水素を貯蔵する場合と比べ安全性が高い。
【００３１】
尚、本発明は、本実施形態に限定されるものではなく、特許請求の範囲において、種々の改良、変更が可能である。例えば、実施形態における気化器、脱硫原料タンク等を省いしてもよいし、燃料電池の形式や水素分離膜の採用によっては、ＣＯ変成器、ＣＯ除去器を省いてもよい。
【産業上の利用可能性】
【００３２】
本発明は、炭化水素を原料とする燃料電池システムを含む各種燃料処理システムに好適である。
【図面の簡単な説明】
【００３３】
【図１】本発明の一実施形態にかかる水素製造装置及び燃料電池システムの構成を示す図である。
【符号の説明】
【００３４】
１０  水素製造装置
１２  原料タンク
１５  脱硫原料タンク
１４  脱硫器
１６  気化器
１７  ボイラー
１８  改質器
１９  改質器バーナー
２０  ＣＯ変成器
２２  ＣＯ除去器
２４  循環水タンク
２６  エア供給源
２７  ブロワー
３０  水電気分解槽
４０  燃料電池システム
５０  燃料電池スタック
５２  アノード
５４  カソード
５６  気水分離器
【図１】
2006008418.tif 000003